(57)【要約】【課題】  監視制御用画面の変更箇所や変更内容を効率的に確認することができ、また、監視制御対象との接続ミスを削減できること。【解決手段】  監視制御対象の伝送フォーマットにおけるポジションを表すポジション表データを入力する手段と、表示装置を用いて監視制御を行うための画面フォーマットデータを入力する手段と、入力したポジション表データをもとに前記画面フォーマットデータにおける監視制御対象の画面表示すべき要素である部品の座標と当該監視制御対象のポジションとを関連付けて画面データを生成する画面作成手段と、今回分と前回分の画面データのポジションのうち、当該ポジションに関連付けられた部品座標の変化のあったポジションを抽出する画面比較手段と、前記抽出したポジションおよび変更内容を出力する出力手段とを備える。【選択図】図１
2008176664.tif 000002
【特許請求の範囲】
【請求項１】
監視制御対象の伝送フォーマットにおけるポジションを表すポジション表データを入力する手段と、
表示装置を用いて監視制御を行うための画面フォーマットデータを入力する手段と、
前記入力したポジション表データをもとに前記画面フォーマットデータにおける監視制御対象の画面表示すべき要素である部品の座標と当該監視制御対象のポジションとを関連付けて画面データを生成する画面作成手段と、
複数世代の前記画面データを保存する手段と、
前記保存手段に保存されている今回分と前回分の画面データのポジションのうち、当該ポジションに関連付けられた部品座標の変化のあったポジションを抽出する画面比較手段と、
前記抽出したポジションおよび変更内容を出力する出力手段と、
を備えたことを特徴とする監視制御装置用画面保守支援装置。
【請求項２】
前記画面作成手段は、保存されている前回分の画面データを用いて、ポジション表データの変更箇所を表示することによって、当該ポジションに対応する部品の追加、削除、あるいは部品座標の変更入力を行うことによって今回分の画面データを生成することを特徴とする請求項１記載の監視制御装置用画面保守支援装置。
【請求項３】
前記出力手段は、画面頁ごとに前記抽出したポジションおよび変更内容を出力すると共に全画面頁にわたる変更の集約情報を出力することを特徴とする請求項１または２記載の監視制御装置用画面保守支援装置。
【請求項４】
前記画面データは、ＣＳＶデータであって、前記出力手段は、画面頁ごとに今回分と前回分を上下２段で出力することを特徴とする請求項３記載の監視制御装置用画面保守支援装置。
【請求項５】
監視制御装置のポジションの追加、削除または変更に伴う監視制御用画面の保守方法であって、
監視制御対象のポジション表データを入力するステップと、
表示装置を用いて監視制御を行うための画面フォーマットデータを入力するステップと、
前記入力したポジション表データをもとに前記画面フォーマットデータにおける監視制御対象の部品の座標と当該監視制御対象のポジションとを関連付けて画面データを生成するステップと、
今回分と前回分の画面データの全てのポジションについて、当該ポジションに関連付けられた部品座標の変化のあったポジションを抽出するステップと、
前記抽出したポジションおよび変更内容を出力するステップと、
前記出力されたポジションについて優先的に接続確認を実行するステップと、
を含むことを特徴とする監視制御装置の画面保守方法。
【発明の詳細な説明】
【技術分野】
【０００１】
本発明は、監視制御装置における監視制御用画面の修正・変更に際し、効率的かつ確実に修正・変更内容を確認することのできる監視制御装置用の保守支援装置および画面保守方法に関する。
【背景技術】
【０００２】
従来、監視制御装置の画面を修正したり、変更した場合は、いわゆる承認図といわれる工事仕様図面によってその修正・変更箇所を確認するか、直接表示されるＣＲＴ画面やそのハードコピー等で確認する方法が一般的であった。
【０００３】
しかしながら、図面を人間系で確認するのみでは、変更箇所を見逃す可能性がある。また、座標の微妙な違いまではわからない場合が多い。
【０００４】
一方、画面の修正・変更内容を管理する技術としては、前回分と今回分の差分を計算機で管理するという手法があった。（たとえば、特許文献１を参照。）
【０００５】
しかしながら、監視制御装置に関しては、制御対象の追加、削除等に伴って監視制御用画面の変更が行われる場合が多く、画面の差分による管理のみでは、画面上のシンボルが制御対象と確実に接続されているのかを判定することができず、意図しない画面の変更などを見落とす場合もあり、画面修正後、接続確認試験を実施するにしても手戻り作業が多発するという問題があった。
【特許文献１】特開２０００−３９９４４号公報
【発明の開示】
【発明が解決しようとする課題】
【０００６】
本発明は、上述のかかる事情に鑑みてなされたものであり、監視制御用画面の変更箇所や変更内容を効率的に確認することができ、また、監視制御対象との接続ミスを削減することのできる監視制御画面の保守支援装置および監視制御装置の画面保守方法を提供することを目的とする。
【課題を解決するための手段】
【０００７】
上記課題を解決するため、本発明に係る監視制御装置用画面保守支援装置は、監視制御対象の伝送フォーマットにおけるポジションを表すポジション表データを入力する手段と、表示装置を用いて監視制御を行うための画面フォーマットデータを入力する手段と、前記入力したポジション表データをもとに前記画面フォーマットデータにおける監視制御対象の画面表示すべき要素である部品の座標と当該監視制御対象のポジションとを関連付けて画面データを生成する画面作成手段と、複数世代の前記画面データを保存する手段と、前記保存手段に保存されている今回分と前回分の画面データのポジションのうち、当該ポジションに関連付けられた部品座標の変化のあったポジションを抽出する画面比較手段と、前記抽出したポジションおよび変更内容を出力する出力手段と、を備えたことを特徴とする。
【０００８】
本発明では、監視制御用画面の部品、すなわち画面表示用の部品の座標とポジションを関連付けておいて、今回分と前回分に含まれている全ポジションについて部品座標を比較して、座標に変化のあったポジションを抽出する。なお、座標の変化には、座標の削除や追加も含まれる趣旨である。
【０００９】
また、本発明に係る監視制御装置用画面保守支援装置では、さらに、前記画面作成手段は、保存されている前回分の画面データを用いて、ポジション表データの変更箇所を表示することによって、当該ポジションに対応する部品の追加、削除、あるいは部品座標の変更入力を行うことによって今回分の画面データを生成することを特徴とする。
【００１０】
本発明では、前回（一世代前）の画面データを利用して、今回の画面データを生成する。この際、ポジション表データに変化のあった箇所を表示して、そのポジションに対する部品座標の更新を行うことによって作業効率を向上させる。
【００１１】
本発明に係る監視制御装置用画面保守支援装置では、さらに、前記出力手段は、画面頁ごとに前記抽出したポジションおよび変更内容を出力すると共に全画面頁にわたる変更の集約情報を出力することを特徴とする。
【００１２】
本発明では、画面の頁ごとに変更のあったポジションおよび変更内容（追加、削除も含む）を表示するようにして、オペレータによる視認性を向上させる。
【００１３】
好ましくは、前記画面データは、ＣＳＶデータであって、前記出力手段は、画面頁ごとに今回分と前回分を上下２段で出力するようにするとよい。これにより、比較演算が容易になり、今回分と前回分を２段表示することによって視認性がさらに向上する。
【００１４】
なお、上述の監視制御装置用画面保守支援装置を管理用サーバとして構成し、ポジション表データと、画面作成手段で生成した今回分の画面データをもとに伝送用データおよび監視制御画面用データを生成するユーザＤＢ生成手段を設け、通信ネットワークを介して、当該手段で生成したデータを監視制御装置へ配信して動作させることによって、制御対象と監視制御画面が確実にリンクした信頼性の高いデータ更新が可能となる。
【００１５】
また、本発明に係る監視制御装置の画面保守方法は、監視制御装置のポジションの追加、削除または変更に伴う監視制御用画面の保守方法であって、監視制御対象のポジション表データを入力するステップと、表示装置を用いて監視制御を行うための画面フォーマットデータを入力するステップと、前記入力したポジション表データをもとに前記画面フォーマットデータにおける監視制御対象の部品の座標と当該監視制御対象のポジションとを関連付けて画面データを生成するステップと、今回分と前回分の画面データの全てのポジションについて、当該ポジションに関連付けられた部品座標に変化のあったポジションを抽出するステップと、前記抽出したポジションおよび変更内容を出力するステップと、前記出力されたポジションについて優先的に接続確認を実行するステップと、を含むことを特徴とする。
【００１６】
本発明では、画面データの比較によって部品座標に変化のあったポジションについて、優先的に各監視制御対象機器の接続確認試験を行うことによって、重要度の高いものから確認を実施することができ、確認試験の効率化や作業ミスの削減を図ることができる。また、確認試験を抽出されたポジションのみに限定することも可能となる。
【発明の効果】
【００１７】
本発明によれば、ポジションとその監視制御画面の部品とを関連づけて部品の画面上での座標に変化のあったポジションを抽出して変更箇所を管理するので、ポジションの変更、追加、削除に伴って、監視制御用画面の変更箇所や変更内容を効率的に確認することができる。また、監視制御対象の接続ミスを削減することも可能となり、特に意図しない変更箇所を見逃す危険性が低減する。
【発明を実施するための最良の形態】
【００１８】
以下、本発明の実施の形態を説明する。
図１は、第１の実施の形態による監視制御装置用画面保守支援装置（以下、画面保守支援装置という）１の機能ブロック図である。ここで、画面保守支援装置１は、汎用のコンピュータシステムによって実現され、ポジション表データや画面仕様データを入力するキーボード、マウス、ＣＤ／ＤＶＤ装置等からなる入力部１０、入力したデータをもとに新旧の画面の比較処理を実行する入力データ確認部５０、比較結果を出力するプリンタ、ディスプレイ、ＣＤ／ＤＶＤ装置等からなる出力部２０、および、データを記憶する記憶部３０を有している。
【００１９】
また、入力データ確認部５０は、ＣＰＵの処理によって実行され、入力部１０または出力部２０とのデータ受け渡し処理を行う入出力処理手段５１、新旧のポジション表を比較するポジション表比較手段５２、変更のあったポジションを集約する集約ポジション抽出手段５３、画面データの作成を行う画面作成手段５４、および、新旧の画面の比較処理を実行する画面比較手段５５を備えている。
【００２０】
次に上記の構成を有する画面保守支援装置１の動作を図２を用いて説明する。
図２は、画面保守支援装置１の処理概要の説明図である。
【００２１】
（１）ポジション表比較手段の処理
まず、オペレータは、入力部１０からポジション表データを入力する。このデータは、入出力処理手段５１を介して、ポジション表データ保存手段３１に格納される。
【００２２】
次にポジション表比較手段５２を起動して、入力したポジション表データ（以下、新ポジション表データ又は今回分という。）と、ポジション表データ保存手段３１に保存されている一世代前の旧ポジション表データ（前回分）とを比較して、追加、削除、変更のあったポジションを抽出してポジション表コンペアレポート３３を作成して、記憶部３０に保存すると共に出力部２０に出力する。
【００２３】
また、ポジション表の内容にエラーがあるか否かの整合性チェックを行い、エラーが存在すれば、コンペアは実施せず、エラーレポートを出力する。
【００２４】
（２）集約ポジション抽出手段の処理
集約ポジション抽出手段５３は、ポジション表データ保存手段３１に保存されている新ポジション表データとポジション表比較手段５２による比較結果を用いて集約ポジションレポート３２を作成する。
【００２５】
集約ポジションレポート３２には、集約ポジションなど、複数のワードにまたがり、目視確認が困難な項目を抽出して出力するので、その確認を容易に行うことができる。
【００２６】
ポジション表データの内容にエラーがあれば、コンペアチェックは実施せず、エラーレポートを出力する。
【００２７】
（３）画面作成手段の処理
画面作成手段５４によって、前回分の画面データを手入力によって修正する。
図３に示すＣＲＴ画面フォーマット仕様書をもとに、送配電線や母線を表すスケルトンデータや遮断器、断路器などの画面表示用の部品を図４に例示するユーザインタフェースによって入力していく。このスケルトン画面編集用のユーザインタフェース画面は、全体系統を表示するときの編集エリアの表示範囲を示すナビゲーションウインドウ５４２、シンボルや計測情報、文字列、線などのパーツ（部品）を選択するパーツパレットウインドウ５４３、配置した部品の属性を変更する属性変更ダイアログ５４４などを有し、スケルトン画面編集エリア５４９上に部品配置して系統図を作成する。
【００２８】
スケルトン画面の編集後、部品ごとにポジションを指定していく。図５は、その一例である。機器の状態（ＳＶ）情報は、複数の設備をグループで扱うほうが効率的なため、集約シンボルとしてグルーピングを可能としている。集約シンボル番号に関連付けて、設備名称やグループメンバである機器ごとのポジション（ワード、ビット）あるいは出力種別などの付随情報を入力する。このほか、単独のシンボルも、シンボルを識別するコメントなどの付随情報と共に、ポジション（ワード、ビット）に関連付けて入力していく。計測（ＴＭ）情報の一例としては、図６に示すように、送電線、受電線、配電線などの回線に関連付けて、有効電力量上り、下り、無効電力量上り、下りごとに、表示／非表示、ポジション（ワード）などの付随情報を入力する。このほか、電流、電圧、位相差、周波数などの単独の計測値として、計測値を識別するコメントなどの付随情報と共にポジション（ワード）に関連付けて入力し、ＢＣＤ表示なども、ビット数などの付随情報と共にポジションに関連付けて入力していく。入力したデータは、画面データ保存手段３５に保存される。
【００２９】
この画面データは世代管理され、画面作成時は過去の世代の画面データをもとにＣＲＴ画面フォーマット仕様書の変更箇所を逐次修正入力していく。
【００３０】
画面データ保存手段３５のデータ例を図７（ＳＶ情報）、図８（ＴＭ情報）に示す。作成された画面データには、この図に示すようにＣＲＴ画面に表示させる部品ごとに部品種別が付され、部品の位置座標や表示の仕方を表す付随情報および関係するポジション等が含まれている。
【００３１】
なお、このポジションは、オペレータが画面作成手段５４のユーザインタフェースによって入力してもよいし、予め監視制御対象の識別情報に部品あるいはポジションを関連付けたデータを準備しておいて、そのデータを入力部１０から読み込んで、画面保守支援装置１にて自動的に部品とポジションとの関連付けを行うようにしてもよい。
【００３２】
（４）画面比較手段の処理
画面比較手段５５によって、今回修正した画面データと、前回分の画面データの比較を入力データ確認ツールで行い、画面コンペアレポート３６を作成する。
【００３３】
画面コンペアレポート３６には前回との変更箇所一覧が出力されるので、オペレータは、画面レイアウトからでは確認の行えない項目についてその内容を確認することができる。なお、画面データの内容にエラーがあればコンペアを実施せず、エラーレポートを出力する。
【００３４】
以下、画面比較手段５５の動作を図９を用いて詳述する。
図９において、画面比較手段５５は、起動されると、まず各種ワーク領域をクリアして（Ｓ１０１）、系統の結線や設備情報を表示する画面であるスケルトン画面情報をワーク領域に読み込む（Ｓ１０２）。ここで、ワーク領域としては、スケルトン画面情報、集約シンボルダイアログ情報、ＢＣＤ表示情報、計測画面情報が新（今回分）、旧（前回分）それぞれについて存在する。
【００３５】
そして、全スケルトン画面について次のループ処理を実行する（Ｓ１０３ａ、Ｓ１０３ｂ）。
即ち、シンボル（オンライン、オフライン）の比較処理（Ｓ１０４）、シンボル（集約データ）の比較処理（Ｓ１０５）、計測値比較処理（Ｓ１０６）、ＢＣＤ表示比較処理（Ｓ１０７）、ＳＩカウント秒比較処理（Ｓ１０８）を実行する。
【００３６】
上記ステップＳ１０４〜Ｓ１０８の比較処理を全スケルトン画面について実行後、集約シンボルダイアログ情報比較処理（Ｓ１０９）、ＢＣＤ表示情報比較処理（Ｓ１１０）、計測画面情報比較処理（Ｓ１１１）を実行して、これらの比較結果として、追加、削除、変更の各格納用ワークに記録された内容を画面コンペアレポート３６に出力する（Ｓ１１２）。
【００３７】
次に上記の各比較処理のうち主なものについて詳述する。
<シンボル（オンライン、オフライン）比較処理>（図１０）
シンボル（オンライン、オフライン）比較処理ルーチンは起動されると、ポジションを０ワードの０ビット目から２５５ワード１５ビット目まで１ビットずつカウントアップする。すなわち、全ポジションについて以下の処理について実行する（Ｓ２０１ａ、Ｓ２０２ｂ）
【００３８】
まず、（新）画面情報保存用ワークからポジションに該当するレコードを読み出す（Ｓ２０２）。同様に（旧）画面情報保存用ワークからポジションに該当するレコードを読み出す（Ｓ２０３）。そして、（新）画面情報保存用ワークにポジションに該当するレコードがあるか否かを判定して（Ｓ２０４）、該当するレコードが存在すれば（Ｓ２０４で「Ｙｅｓ」）、次に（旧）画面情報保存用ワークにポジションに該当するレコードがあるか否かを判定する（Ｓ２０５）。
【００３９】
この判定の結果、該当するレコードが存在する場合は（Ｓ２０５で「Ｙｅｓ」）、（新）レコードと（旧）レコードとを比較する（Ｓ２０６）。ここで、レコード内容としては、シンボルの表示位置（Ｘ座標、Ｙ座標）、回転方向、シンボル種別、メモ等がある。
【００４０】
この比較処理の結果、レコードの内容が同一ならば（Ｓ２０７で「Ｙｅｓ」）、次のポジションについて、ステップＳ２０２以降の処理を繰り返し、一方レコードの内容が同一でない場合は（Ｓ２０７で「Ｎｏ」）、比較結果（変更）格納用ワークに（新）レコードと（旧）レコードの内容を記録する（Ｓ２０８）。
【００４１】
なお、ステップＳ２０４で、（新）画面情報保存用ワークにポジションに該当するレコードが存在しない場合は（Ｓ２０４で「Ｎｏ」）、（旧）画面情報保存用ワークにポジションに該当するレコードが存在するか否かを判定して（Ｓ２１０）、存在する場合は（Ｓ２１０で「Ｙｅｓ」）、比較結果（削除）格納用ワークに（旧）レコードの内容を記録する（Ｓ２１１）。
【００４２】
また、ステップＳ２０５で、（旧）画面情報保存用ワークにポジションに該当するレコードが存在しない場合は（Ｓ２０５で「Ｎｏ」）、比較結果（追加）格納用ワークに（新）レコードの内容を記録する（Ｓ２０９）。
【００４３】
また、ステップＳ２１０で、（旧）画面情報保存用ワークにポジションに該当するレコードが存在しない場合は（Ｓ２１０で「Ｎｏ」）、次のポジションについて、ステップＳ２０２以降の処理を繰り返す。
【００４４】
以上の処理手順により、追加、削除、変更となったシンボルの情報を分類して夫々のワークファイルに記録する。
図１１〜図１４、図１７、図１８についても上記と同様に処理する。
【００４５】
<集約シンボルダイアログ情報比較処理>（図１５、図１６）
次に集約シンボルダイアログ情報比較処理について図１５、図１６を用いて説明する。
【００４６】
集約シンボルについて、番号を１から５１２まで付している場合、その番号を順にカウントアップしながら、各シンボル番号について以下の処理を実行する（Ｓ７０１ａ、Ｓ７０１ｂ）。
【００４７】
まず、（新）画面情報保存用ワークから集約シンボル番号に該当するレコードを読み出す（Ｓ７０２）。
【００４８】
同様に（旧）画面情報保存用ワークから集約シンボル番号に該当するレコードを読み出す（Ｓ７０３）。そして、（新）画面情報保存用ワークに集約シンボル番号に該当するレコードがあるか否かを判定して（Ｓ７０４）、該当するレコードが存在すれば（Ｓ７０４で「Ｙｅｓ」）、次に（旧）画面情報保存用ワークに集約シンボル番号に該当するレコードがあるか否かを判定する（Ｓ７０５）。
【００４９】
この判定の結果、該当するレコードが存在する場合は（Ｓ７０５で「Ｙｅｓ」）、（新）レコードと（旧）レコードとを比較する（Ｓ７０６）。ここで、レコード内容は、集約シンボルダイアログ情報の設備名、および、複数のシンボルメンバで構成される。シンボルメンバは、ポジション（ワード、ビット）出力種別、機器名、名称などの制御対象に係る情報の他、集約先反映有無などの付随情報も含む。
【００５０】
そして（新）（旧）レコードの比較の結果、レコードの内容が同一でない場合は（Ｓ７０７で「Ｎｏ」）、次に比較結果（変更）格納用ワークに（新）レコードと（旧）レコードの内容を記録する（Ｓ７０８）。
【００５１】
一方、ステップＳ７０７でレコードの内容が同一の場合は（Ｓ７０７で「Ｙｅｓ」）、次の集約シンボル番号に進む。また、ステップＳ７０５で「Ｎｏ」の場合は、比較結果（追加）格納用ワークに（新）レコードの内容を記録して（Ｓ７０９）、次の集約シンボル番号へ進む。また、ステップＳ７０４で「Ｎｏ」の場合は、次に（旧）画面情報保存用ワークに集約シンボル番号に該当するレコードが存在するか否かを判定し、該当するレコードが存在する場合は（Ｓ７１０で「Ｙｅｓ」）、比較結果（削除）格納用ワークに（旧）レコードの内容を記録したのち（Ｓ７１１）、該当するレコードが存在しない場合は（Ｓ７１０で「Ｎｏ」）そのまま、次の集約シンボル番号へ進む。
【００５２】
ステップＳ７０８の後、（新）該当レコードのシンボルメンバの件数分、以下の処理を繰り返す（Ｓ７１２ａ、Ｓ７１２ｂ）。
【００５３】
まず、（新）該当レコードとポジションが同一の（旧）該当レコードのシンボルメンバを読み出す（Ｓ７１３）。そして、（旧）該当レコードに一致するシンボルメンバが存在するか否かを判定して（Ｓ７１４）、存在する場合は（Ｓ７１４で「Ｙｅｓ」）、（新）シンボルメンバと（旧）シンボルメンバとを比較する（Ｓ７１５）。ここで、シンボルメンバは、監視制御対象機器の出力種別や機器名などのほか、集約先反映有無などの情報を含む。
【００５４】
そして、シンボルメンバの内容が同一かつレコード内のシンボルメンバのデータ格納位置（並び準）が同一か否かを判定して（Ｓ７１６）、同一でない場合は（Ｓ７１６で「Ｎｏ」）、比較結果（変更）格納用ワークの（新）レコードと（旧）レコード内の該当シンボルメンバに「変更シンボルメンバ」の印（フラグ）を付加する（Ｓ７１７）。一方、ステップＳ７１４で「Ｎｏ」の場合は、比較結果（変更）格納用ワークの（新）レコード内の該当シンボルメンバに「追加シンボルメンバ」の印を付加する（Ｓ７１８）。
【００５５】
以上ステップＳ７１３〜ステップＳ７１８の処理を（新）該当レコードのシンボルメンバの件数分繰り返した後、（旧）該当レコードのシンボルメンバの件数分、以下の処理を繰り返す（Ｓ７１９ａ、Ｓ７１９ｂ）。
【００５６】
まず、（旧）該当レコードとポジションが同一の(新)該当レコードのシンボルメンバを読み出す（Ｓ７２０）。
【００５７】
そして、（新）該当レコードに一致するシンボルメンバが存在するか否かを判定して（Ｓ７２１）、存在しない場合は（Ｓ７２１で「Ｎｏ」）、比較結果（変更）格納用ワークの（旧）レコード内の該当シンボルメンバに「削除シンボルメンバ」の印を付加する（Ｓ７２２）。以上のステップＳ７２０〜ステップＳ７２２の処理を（旧）該当レコードのシンボルメンバの件数分繰り返す。
【００５８】
以上、処理手順によって、全ての集約シンボルについてシンボルメンバごとの変更、追加、削除の区別を行う。
【００５９】
上記の処理の結果として、抽出した画面表示に関する追加、削除、変更内容を画面コンペアレポートとして、画面別および全画面の集約情報として出力する。また、シンボル種別ごとに追加、削除、変更の個数や詳細情報を出力する。比較出力された差分は、一般的な帳票形式のフォーマットで印字、保存する。
【００６０】
図１９は、画面データシンボル（オンライン）の出力例、図２０は、画面データ計測値のコンペア結果の出力例、図２１は、画面データ集約シンボルのダイアログ情報のコンペア結果の出力例である。このように集約または画面頁単位でポジションをキーとしてコンペア出力を行うことによって、統一したフォーマットでの出力が可能となり、またオペレータに対する視認性が向上する。
【００６１】
以上、本実施の形態によれば、ポジションと画面上の部品とを関連付けて保存しておいて、ポジションをキーとして部品の座標変化のあったポジション、追加、削除となったポジションを表示するので、ポジションの追加、変更、削除に伴う画面の修正作業を確実に実行することができる。
【００６２】
また、計算機によってポジションをキーにして、座標変化のあったシンボルを抽出するので、監視操作系と伝送系との不整合を予め発見することが可能となる。
【００６３】
なお、画面作成手段は、画面データを差分として検出しやすいＣＳＶ形式等のデータとして出力するようにすれば、画面比較手段によって前回と今回の画面の違い（差分）を座標単位に内部的なコードまで容易に比較出力させることが出来る。
【００６４】
また、変更箇所の確認試験を優先的に行うことによって、作業効率の向上が図れると共に、作業者は変更部分を集中的に試験することが出来るので作業ミスの削減を期待できる。
【００６５】
次に、第２の実施の形態を説明する。
第１の実施の形態は、汎用のコンピュータを用いて実現するようにしたが、本実施の形態では、監視制御用のコンピュータを用いて実施する構成としている。
【００６６】
図２２において、画面保守支援装置１は、監視制御用の画面や被制御所ごとのポジション表データを管理するサーバとして構成され、通信ネットワーク４を介して制御所装置８ａおよび制御所装置８ｂと接続されている。
【００６７】
また、制御所装置８ａ、８ｂは、それぞれ専用の通信回線（専用回線）５ａ、５ｂを介して被制御所装置９ａ、９ｂと接続されている。
【００６８】
画面保守支援装置１は、第１の実施の形態で説明した入力データ確認部５０、記憶部３０、各データ３１〜３６、これらのデータを用いて監視制御装置用の動作データを作成するユーザＤＢ生成手段５６、作成したデータを送信処理するデータ送信手段５７、通信ネットワーク４を介して他の装置とデータの送受信を行う送受信部７０を備えている。ユーザＤＢ生成手段５６とデータ送信手段５７はＣＰＵによって実行可能な機能である。
【００６９】
また、制御所装置８ａは、データの送受信を行う送受信部８１ａ、制御卓８２ａ、表示装置８３ａ、遠方監視制御装置（以下、テレコンという。）親局８４ａがＬＡＮ８５ａを介して接続されている。制御装置８ｂについても同様の構成を有している。
【００７０】
被制御所装置９ａは、テレコン親局８４ａと伝送を行うテレコン子局９１ａと監視制御対象の外部機器に対して制御指令を出力し、監視情報を入力する入出力部９２ａを備えている。被制御所装置９ｂも同様の構成を有する。
【００７１】
次に、本実施の形態における画面保守支援装置１の動作を図２３を用いて説明する。
この図において、（１）〜（４）の各手段の処理は、第１の実施の形態と同様であるので説明を割愛する。
【００７２】
（５）ユーザＤＢ生成手段５６の処理
ユーザＤＢ生成手段５６は、ポジション表データ保存手段３１と画面データ保存手段３５に、データを生成し格納する。ユーザＤＢ生成手段５６は、ポジション表データ保存手段３１に含まれている被制御所装置識別情報をもとに各テレコン別に伝送用データを作成する。また、ユーザＤＢ生成手段５６は、画面データ保存手段３５に含まれている制御所装置識別情報をもとに各制御所装置用の監視制御画面用データを作成する。なお、伝送用データや監視制御用画面データの生成においても世代管理し、逐次前回分との比較を行って比較レポートを出力したり、前回分のデータを利用して今回分のデータを生成するようにしてもよい。
【００７３】
（６）データ送信手段の処理
そして、データ送信手段５７は、制御所装置識別情報によって対応する制御所装置へ配信する。たとえば、制御所装置（Ａ）の監視制御用のデータである監視制御画面用データ（Ａ）３７ａ、テレコン（Ａ）親局８４ａ用のデータである伝送用データ（Ａ親）３８ａ、テレコン（Ａ）子局９１ａ用のデータであるテレコン伝送用データ（Ａ子）３９ａは、制御所装置（Ａ）８ａに送られ、送受信部８１ａによって受信され、監視制御画面用データ（Ａ）は、ＬＡＮ８５ａを経由して、制御卓８２ａの計算機の記憶部に保存される。また、伝送用データ（Ａ親）３８ａと伝送用データ（Ａ子）３９ａは、テレコン（親局）８４ａに送られて、伝送用データ（Ａ親）３８ａは、テレコン（親局）８４ａの記憶部に格納される。伝送用データ（Ａ子）３９ａは、さらにテレコン（親局）８４ａから専用回線５ａを経由して被制御所装置９ａに送られ、テレコン（子局）９１ａの記憶部に保存される。
【００７４】
制御所装置８ｂ、被制御所装置９ｂに関しても同様に監視制御用画面データ（Ｂ）３７ｂ、伝送用データ（Ｂ親）３８ｂ、伝送用データ（Ｂ子）３９ｂが送信され、各記憶部に保存される。
【００７５】
データの送信を完了したら、各テレコン装置から管轄の制御卓８２ａ、８２ｂ側へ完了通知が送られ、制御卓側では新たな監視制御データで監視制御を行う。
【００７６】
以上、本実施の形態によれば、画面保守支援装置１で、画面比較手段５５で比較処理を行うので、意図しない変更などの人間系のミスを排除してポジション表データと画面データ（今回分）を作成することができる。さらに、このデータをもとにユーザＤＢ生成手段５６によって制御卓およびテレコンで動作させるためのデータを生成して通信ネットワークおよび専用回線を介して各装置へ送信するので、ポジション変更に伴う画面変更の作業を効率的かつ正確に行うことができる。
【００７７】
なお、本実施の形態におけるネットワーク構成は、上記に限定されず、たとえば画面保守支援装置を制御所装置、被制御所装置と同じネットワークを介して接続して、画面保守支援装置から直接制御所装置と被制御所装置へ動作データを送信するようにしても良い。
【００７８】
また、上述の実施形態では、生成した監視制御画面用データや伝送用データを自動的に制御所装置、被制御所装置に配信するようにしたが、画面保守支援装置にて、ＦＤやＣＤ−Ｒ等の記憶媒体に書き込んで、各装置側で読み込むようにしても良い。
【産業上の利用可能性】
【００７９】
本発明は、監視制御装置の制御対象の追加、削除、変更に伴う監視制御用画面の修正に利用することができる。
【図面の簡単な説明】
【００８０】
【図１】本発明の第１の実施の形態による画面保守支援装置の機能ブロック図である。
【図２】図１の動作手順の説明図である。
【図３】図１の画面作成手段の入力作業で使用するＣＲＴ画面フォーマット仕様書の例である。
【図４】図１の画面作成手段でスケルトン画面を編集するためのユーザインタフェースの説明図である。
【図５】図１の画面作成手段で機器の状態（ＳＶ）情報を入力するユーザインタフェースの説明図である。
【図６】図１の画面作成手段で計測（ＴＭ）情報を入力するユーザインタフェースの説明図である。
【図７】図１の画面データ保存手段３５のＳＶ情報のデータ構成例である。
【図８】図１の画面データ保存手段３５のＴＭ情報のデータ構成例である。
【図９】図１の画面比較手段の処理手順を示す基本フローチャートである。
【図１０】図９のシンボル（オンライン、オフライン）比較処理の処理手順を示すフローチャートである。
【図１１】図９のシンボル（集約）比較処理の処理手順を示すフローチャートである。
【図１２】図９の計測値比較処理の処理手順を示すフローチャートである。
【図１３】図９のＢＣＤ表示比較処理の処理手順を示すフローチャートである。
【図１４】図９のＳＩカウント秒比較処理の処理手順を示すフローチャートである。
【図１５】図９の集約シンボルダイアログ情報比較処理の処理手順を示すフローチャートである（その１）。
【図１６】図９の集約シンボルダイアログ情報比較処理の処理手順を示すフローチャートである（その２）。
【図１７】図９のＢＣＤ表示情報比較処理の処理手順を示すフローチャートである。
【図１８】図９の計測画面情報比較処理の処理手順を示すフローチャートである。
【図１９】図１の画面比較手段５５の処理結果による画面データシンボル（オンライン）コンペア結果の出力例である。
【図２０】図１の画面比較手段５５の処理結果による計測値コンペア結果の出力例である。
【図２１】図１の画面比較手段５５の処理結果による集約シンボルダイアログ情報コンペア結果の出力例である。
【図２２】本発明の第２の実施の形態による画面保守支援装置と通信ネットワークを介して接続する監視制御装置の機能ブロック図である。
【図２３】図２２の動作手順の説明図である。
【符号の説明】
【００８１】
１  監視制御装置用画面保守支援装置
４  通信ネットワーク
５ａ，５ｂ  専用回線
８ａ，８ｂ  制御所装置
９ａ，９ｂ  被制御所装置
１０  入力部
２０  出力部
３０  記憶部
３１  ポジション表データ保存手段
３２  集約ポジションレポート
３３  ポジション表コンペアレポート
３４  エラーレポート
３５  画面データ保存手段
３６  画面コンペアレポート
３７ａ，３７ｂ  監視制御画面用データ
３８ａ，３８ｂ  伝送用データ（親局用）
３９ａ，３９ｂ  伝送用データ（子局用）
５０  入力データ確認部
５１  入出力処理手段
５２  ポジション表比較手段
５３  集約ポジション抽出手段
５４  画面作成手段
５５  画面比較手段
５６  ユーザＤＢ生成手段
５７  データ送信手段
８１ａ，８１ｂ  送受信部
８２ａ，８２ｂ  制御卓
８３ａ，８３ｂ  表示装置
８４ａ，８４ｂ  遠方監視制御装置（テレコン）親局
８５ａ，８５ｂ  ローカルエリアネットワーク（ＬＡＮ）
９１ａ，９１ｂ  遠方監視制御装置（テレコン）子局
９２ａ，９２ｂ  入出力部
【図１】
2008176664.tif 000003
【図２】
2008176664.tif 000004
【図３】
2008176664.tif 000005
【図７】
2008176664.tif 000006
【図８】
2008176664.tif 000007
【図９】
2008176664.tif 000008
【図１０】
2008176664.tif 000009
【図１１】
2008176664.tif 000010
【図１２】
2008176664.tif 000011
【図１３】
2008176664.tif 000012
【図１４】
2008176664.tif 000013
【図１５】
2008176664.tif 000014
【図１６】
2008176664.tif 000015
【図１７】
2008176664.tif 000016
【図１８】
2008176664.tif 000017
【図１９】
2008176664.tif 000018
【図２０】
2008176664.tif 000019
【図２１】
2008176664.tif 000020
【図２２】
2008176664.tif 000021
【図２３】
2008176664.tif 000022
【図４】
2008176664.tif 000023
【図５】
2008176664.tif 000024
【図６】
2008176664.tif 000025